(57)【要約】本発明は、携帯電話携帯者の位置情報を得て、該位置情報を、写真や音響のような、位置特定型マルチメディアコンテンツに関連付けるための方法に関する。前記方法は、携帯電話の位置情報を検出し、該位置情報を前記位置特定型マルチメディアコンテンツに関連付けることにより、実行される。
2006513619.tif 000002
【特許請求の範囲】
【請求項１】
携帯電話携帯者の位置情報を得て、該位置情報を位置特定型マルチメディアコンテンツに関連付ける方法であって、該方法は、
前記携帯電話の位置検出に基づいて該携帯電話の前記位置情報を得て、
前記位置情報を前記位置特定型マルチメディアコンテンツに関連付ける、
ステップを有する方法。
【請求項２】
前記方法は、更に、前記携帯電話携帯者から前記位置特定型マルチメディアコンテンツの識別子を受け取るステップを有する、請求項１記載の方法。
【請求項３】
前記方法は、更に、前記携帯電話携帯者から前記位置特定型マルチメディアコンテンツを受け取るステップを有する、請求項１記載の方法。
【請求項４】
前記位置特定型マルチメディアコンテンツが、前記携帯電話携帯者の前記位置においてマルチメディア記録装置によって記録される、請求項１から３のいずれか一項に記載の方法。
【請求項５】
前記方法は、更に、前記携帯電話携帯者から前記マルチメディア記録装置の特性を受け取るステップを有する、請求項４記載の方法。
【請求項６】
前記携帯電話の前記位置情報を検出するステップは、また、前記携帯電話携帯者の磁気方位を検出することを含む、請求項１から５のいずれか一項記載の方法。
【請求項７】
前記方法は、更に、仕分け基準により前記マルチメディアコンテンツを仕分けるステップを有する、請求項１から６のいずれか一項記載の方法。
【請求項８】
前記仕分け基準が前記位置情報から導き出される特性に基づく、請求項７記載の方法。
【請求項９】
前記仕分け基準が、前記携帯電話携帯者によって選択され、前記携帯電話から受け取られる、請求項７又は８に記載の方法。
【請求項１０】
前記携帯電話の前記位置情報の前記検出が、前記携帯電話からの要求を受け取った後に定期的に実行される、請求項１から９のいずれか一項記載の方法。
【請求項１１】
携帯電話携帯者の位置情報を得て、該位置情報を位置特定型マルチメディアコンテンツに関連付けるためのシステムであって、該システムは、
前記携帯電話の位置検出に基づいて該携帯電話の前記位置情報を得るための手段と、
前記検出された位置情報を前記位置特定型マルチメディアコンテンツに関連付けるための手段と、
を有するシステム。
【発明の詳細な説明】
【技術分野】
【０００１】
本発明は、携帯電話携帯者の位置情報を得て、該位置情報を位置特定型マルチメディアコンテンツに関連付ける方法に関する。本発明は、更に、携帯電話携帯者の位置情報を得て、該位置情報を位置特定型マルチメディアコンテンツに関連付けるためのシステムに関する
【背景技術】
【０００２】
旅行の際には、旅行者は、例えば写真を撮ることによって、思い出を欲しがる。旅行の後、旅行者は、しばしば、数多くの写真を有することとなり、それは、ある写真がどこで撮影されたかということを思い出す際の障害となり得る。今日、全地球測位システム（ＧＰＳ）が内蔵された特別なカメラを購入することができ、そして、写真が撮影される際に、地理的な位置は写真の中に埋め込まれ得る。その後、旅行が完了した後、ユーザは、写真のＧＰＳ座標に応じて、該写真を仕分けることができる。いったん座標が知られれば、ユーザは手作業で、写真がどの都市において撮影されたか、及び地図の助けを使うことで撮影された記念碑の名前が何かということでさえ、分かる。
【０００３】
欧州特許０８６９６４は、人を安全にするためのシステムに関する。前記システムは、携帯電話及び携帯ビデオカメラである携帯セキュリティ装置を有する。前記ビデオカメラよって記録されたイメージは前記携帯電話を介して緊急センタに送られ、該システムは、そして、攻撃者の正体を記録すること、及び更に該攻撃者がその証拠を見つけ出すことができないということ、を保証することによって、該装備を携帯する人に対する暴行を避ける。前記携帯電話は、セキュリティシステムの位置を決定するために使用され、緊急センタ担当部局は、攻撃されている人を突き止めることができる。前記特許は、どうやったら、位置情報が、写真のようなマルチメディアコンテンツに加えられることができるのか、ということについては説明しない。
【発明の開示】
【発明が解決しようとする課題】
【０００４】
問題は、ほとんどのユーザにとって解決策を非常に高価なものにする、スタンドアローン又はカメラに取り付けられたようなどちらかのＧＰＳを有することが必要である、ということである。もう１つの問題は、手動で、例えばＧＰＳの値に基づいて都市名又は記念碑の名前を決定する必要があり、これはまた、ハイテク装置の使用に親しんでいない人にとって、その方法を使用することを、非常に煩雑にし、かつ困難にする、ということである。
【課題を解決するための手段】
【０００５】
前述の問題に対する解決策を提供することが、本発明の目的である。
【０００６】
これは、携帯電話携帯者の位置情報を得て、該位置情報を位置特定型マルチメディアコンテンツに関連付ける方法であって、前記携帯電話の位置検出に基づいて該携帯電話の前記位置情報を得て、前記位置情報を前記位置特定型マルチメディアコンテンツに関連付ける、ステップを有する方法によって、得られる。
【０００７】
前記位置情報は、前記携帯電話からの要求を受け付けた後に検出され得るか、又は、該携帯電話から受け付けられる要求に含まれ得る。
【０００８】
したがって、旅行者の地理上の位置は確定され、特別なＧＰＳ機能を必要としない。更に、携帯電話は、既に広く受け入れられ、使用される装置となっているので、携帯電話の地理上の位置を確定するということにより、本方法は、多数の人々によって使用され得る。多くの携帯電話は、既に、ある位置付け能力を有するが、該機能を有していなくても、その位置は、標準的な位置付け技術により判明され得る。前記標準的な位置付け技術は、例えば、精密なエンハンスト時差方式（Ｅ−ＯＴＤ）のような技術、又は移動体通信用グローバルシステム（ＧＳＭ）におけるセルＩＤが得られるか、又はタイミングアドバンス（ＴＡ）方法を使用することによる、それほど精密でない技術であり得る。
【０００９】
カメラを有する携帯電話携帯者は、該カメラに写真を記憶する際に、携帯電話携帯者の位置を写真に関連付けることができる。この方法は、例えば、ショートメッセージサービス（SMS）又は無線アプリケーションプロトコル（WAP）を介して、例えば携帯電話からの要求を受け付ける、インターネットのポータルサイトにおいて実行される。前記要求を受けた後で、前記ポータルサイトは、標準的な位置付け技術を使用して、例えば、前記携帯電話の位置を検出するサービスプロバイダから前記携帯電話の位置を要求することによって、該位置を検出する。前記位置情報が検出されたとき、該情報は、例えば、マルチメディアコンテンツと該位置情報とが固有のＩＤを共有することを保証することによって、該マルチメディアコンテンツに関連付けられ得る。
【００１０】
同様に、ユーザがいかなるマルチメディア装備も有しない場合、携帯電話（すなわちユーザ）の位置情報が検出された際、該情報は、インターネットのポータルサイト内の、予め記憶されたマルチメディアコンテンツに関連付けられ得る。
【００１１】
位置特定型マルチメディアコンテンツは、例えばスポーツイベントにおいて、例えば（ユーザ、又は前記ポータルサイトによって維持された又は収集された写真、のいずれかによって）その位置において撮影された写真であり得るか、又はその場所で録音された音響であり得る。位置特定型マルチメディアコンテンツが音響である場合、該音響は、携帯電話のマイクを使用して録音され得る。代替的に、音響コンテンツは、インターネットのポータルサイトによって、予め録音され記憶された（例えば、自動車グランプリサーキットからの音）オーディオクリップであり得る。
【００１２】
特定の実施例においては、前記方法は、更に、前記携帯電話携帯者から前記位置特定型マルチメディアコンテンツの識別子を受け取るステップを有する。この場合、ポータルサイトは、位置特定型マルチメディアコンテンツの識別子を受け取るだけである。前記識別子は、携帯電話携帯者によって携帯されているアナログ又はデジタルカメラに記憶された写真の識別子と一致し得る。
【００１３】
代替的に、受け取られた位置特定型マルチメディアコンテンツの識別子は、ポータルサイトから受け取られる、記憶された位置特定型マルチメディアコンテンツの複数の識別子の中から、携帯電話携帯者によって選択された、マルチメディアコンテンツの識別子でもよい。記憶された位置特定型マルチメディアコンテンツの前記複数の識別子は、検出された位置情報に応じて、ポータルサイトから得られ得る。これは、携帯電話携帯者に、マルチメディアコンテンツ記録器を携帯せずに、代わりに、予め記憶された位置特定型マルチメディアコンテンツを使用することを可能とする。更に、前記記憶されたコンテンツは、前述したようなアナログ又はデジタルカメラによって記録されたマルチメディアコンテンツへの補足として使用され得る。
【００１４】
他の実施例においては、前記方法は、更に、前記携帯電話携帯者から前記位置特定型マルチメディアコンテンツを受け取るステップを有する。記憶された位置特定型マルチメディアコンテンツは、携帯電話からポータルサイトへ転送され得る。これは、例えば、携帯電話に接続されたカメラから写真を転送することによって行われ得る。この場合、ポータルサイトは、全てのマルチメディアコンテンツをセントラルに記憶でき、カメラに記憶された情報は削除され得る。したがって、例えばデジタルカメラのメモリカードに記憶された写真の削除を回避することが重要とはならない、ということが得られ、またより小容量のメモリカードが使用され得る。更に、カメラが盗まれ、偶然にもメモリカードが削除され、又は、メモリカードが破壊された場合でも、無事なバックアップがポータルサイトにおいて提供される。更に、ポータルサイトに情報を記憶することによって、例えば携帯電話携帯者により承認されたパスワードを使用して該ポータルサイトへのアクセスを確立することで、他の人々が位置特定型マルチメディアコンテンツにアクセスすることができる。
【００１５】
他の実施例においては、前記位置特定型マルチメディアコンテンツが、前記携帯電話携帯者の前記位置においてマルチメディア記録装置によって記録される。この場合、写真やサウンドのような、携帯電話携帯者にとって独自であるコンテンツが記録され、位置情報が付される。これは、例えば、特定の状況又は人からの写真やサウンドであり得る。
【００１６】
他の実施例においては前記方法は、更に、前記携帯電話携帯者から前記マルチメディア記録装置の特性を受け取るステップを有する。
【００１７】
これは、例えば、後に有用な情報となり得る、光度、コマ数、又はレンズの倍率のような、カメラの特性に従うものであり得る。
【００１８】
更に他の実施例においては、前記携帯電話の前記位置情報を検出するステップは、また、前記携帯電話携帯者の磁気方位を検出することを含む。
【００１９】
したがって、携帯電話携帯者の位置だけでなく、向いている方向も得られ、これは、携帯電話携帯者が見ているものを確証するために使用され得る。これを確証することにより、例えば観光地の名前が得られ、該名前がマルチメディアコンテンツと関連付けられ得る。
【００２０】
他の実施例においては、前記方法は、更に、仕分け基準により前記マルチメディアコンテンツを仕分けるステップを有する。
【００２１】
仕分けの基準は、例えば、国、都市、又は記念碑のようなものの地理的な位置であり得る。更に、前記基準は、前述したような、マルチメディア装置の特性であり得る。したがって、特定の写真が容易に見つけられ得る、ということを得られる。
【００２２】
他の実施例においては、前記仕分け基準が前記位置情報から導き出される特性に基づく。位置にしたがった仕分けにより、旅行の軌跡が、例えば、生成され得る。
【００２３】
更に他の実施例においては、前記仕分け基準が、前記携帯電話携帯者によって選択され、前記携帯電話から受け取られる。従って、仕分けは、携帯電話から実行され、コンテンツは、例えば記憶され、例えば旅仲間又は旅行の最中に出会った友人に提供される。
【００２４】
特定の実施例においては、前記携帯電話の前記位置情報の前記検出が、前記携帯電話からの要求を受け取った後に定期的に実行される。従って、携帯電話携帯者によって実行される動作の必要なしに、旅行の軌跡が生成され、位置特定コンテンツと関連付けられ得る。
【００２５】
本発明は更に、携帯電話携帯者の位置情報を得て、該位置情報を位置特定型マルチメディアコンテンツに関連付けるためのシステムであって、前記携帯電話の位置検出に基づいて該携帯電話の前記位置情報を得るための手段と、前記検出された位置情報を前記位置特定型マルチメディアコンテンツに関連付けるための手段と、を有するシステムに関する。
【発明を実施するための最良の形態】
【００２６】
以下において、本発明の好適な実施例が、図を参照にしつつ、説明される。
【実施例１】
【００２７】
図１において、位置特定型マルチメディアコンテンツが、携帯電話携帯者１０１によって携帯されるアナログカメラ１０５によって記録される写真である場合に、携帯電話を使用する位置付けが、本発明によってどのように実行され得るか、ということが図示される。
【００２８】
１１１において、ＷＡＰポータルサイトへのアクセスが、携帯電話１０３から確立される。これは、例えば、電話番号、国情報、電子メールアドレス、及び／又はプロバイダ情報のような個人識別子を、ＷＡＰポータルサイトへ転送することを含み得る。ＷＡＰポータルサイトへの接続が確立した後、携帯電話携帯者は、該携帯電話のＷＡＰクライアントを使用して、該ポータルサイトへ転送されるべきデータを入力することができる。１１３で、最初に携帯電話携帯者は、例えば「新規写真セッション」のようなセッション（Ｓ）１１３を生成し得る。次に、１１５で、前記携帯電話携帯者は、アナログカメラ１０５内の、現在のフィルムの役割ＩＤ（ID of the current film role：ＦＲＩＤ）を特定する。これは、例えば、最初の役割又は最初のセッションとして役割ＩＤ１というような、識別パラメタで特定され得る。
【００２９】
セッションが、ここで、生成され、携帯電話携帯者は、ここで、写真を撮り始める。写真が撮影された時、該写真識別子は、携帯電話を介して、ＷＡＰポータルサイトへ送られる。例えば、最初の写真がアナログカメラに記憶された時、該写真の写真ＩＤ（ＰＩＤ）は、携帯電話を介して、ポータルサイトに、１として提供される（１１７）（該番号は、例えば、前記アナログカメラのコマ表示カウンタの番号と同じであっても良い）。写真ＩＤの他にも、前記ポータルサイトは、また、カメラの設定又は説明のような、撮影された写真の様々な属性を有しても良い。更に、携帯電話は、また、ポータルサイトに、前記写真が撮影された場所における環境雑音（アンビエントノイズ）のような、電話によって記録された音、又は携帯電話携帯者によって作成された説明を提供してもよい。加えて、携帯電話は、ポータルサイトに、写真を撮った時の携帯電話携帯者の磁気方位を提供しても良く、これは、携帯電話を位置付けることを、より正確にするであろう。
【００３０】
ポータルサイトは、ここで、写真が撮影され、携帯電話の位置検出（ＰＤ）が起動され得る（１１９）、ということを通知された。この位置検出は、標準的な位置付け方法を使用して実行され得、ポータルサイトのようなサードパーティは、例えばインターネットを介して特定の携帯電話の位置を要求し、それを得ることができる、（該位置付け方法は、例えば、Ｅ−ＯＴＤを使用したネットワーク起動型位置要求（Network Initiated Location Request:ＮＩ−ＬＲ）、及び携帯起動型位置位置要求(Mobile
Originated Location Request)であり得る）。携帯電話が、前述したような正確な位置付け技術に対応していなければ、他の方法は、ネットワークオペレータからＧＳＭセルＩＤを要求することであり、ＧＳＭサービスプロバイダの該ＧＳＭセルによって覆われる地理的な領域を要求するために、このＩＤを使用する。これは、都市の特定の領域を見つけ出すために未だ使用され得るし、更に該領域のデジタル地図を見せることによって詳細にされ得るという、大雑把なものとなる。位置検出は、また、その時間と検出された場所とに基づく気象状況のような、更なる位置特定型情報を確立することを有し得る。
【００３１】
検出された位置（ＰＤ）、及び写真ＩＤ（ＰＩＤ）のような写真特定情報を得た後、例えば、ポータルサイトにおける又は同一のファイル内の、固有の共通ＩＤとともに該情報を記憶することによって（Ｓ）データは関連付けられる１２１。これは、写真が撮影される毎、及び、例えば、フィルムの役割が終わったために又は休暇が終了したために、写真セッションが完了したときに実行される。セッションは、携帯電話から命令を与えることにより終了される（！Ｓ）１２３。完了した写真セッションは、写真の枚数を有して終了し、ここで、各写真は、位置情報及び前述したような他の情報のような特定の情報と関連付けられている。
【実施例２】
【００３２】
図２において、カメラ２０５が、例えば携帯電話と通信するための通信手段（例えば赤外線通信、ブルートゥース（登録商標）、ＵＳＢ、及びＲＳ２３２）、及び写真を記憶するためのメモリカードのような記憶手段、を有するデジタルカメラである例を示す。２１１において、ＷＡＰポータルサイトへのアクセスが、図１において述べたように確立され、携帯電話携帯者は、セッションを生成する２１３。セッションが生成された後、携帯電話携帯者は、写真を撮り始めることができる。写真が撮影される（ＰＳ）と、そのことを示す情報が、携帯電話を介してＷＡＰポータルサイトへ送られる２１５。ポータルサイトは、ここで、写真が撮影され、携帯電話の位置検出（ＰＤ）が起動され得る、ということを通知される２１７。検出された位置（ＰＤ）を得た後、該検出された位置は、ＷＡＰポータルサイトからカメラへ、携帯電話を介して転送され、該検出された位置及び写真は、例えばカメラのメモリカード内の固有の共通ＩＤを有する情報を記憶することによって関連付けられる。検出された位置は、ポータルサイトによって生成されるＨＴＴＰリンクであってもよく、それは、位置情報及び関連情報を有する。ＰＤは、また、ある場所における、あるユーザのために生成される固有ＩＤであっても良い。これは、写真が撮影される毎、及び例えば休暇が終了したために写真セッションが完了したとき、に実行される。セッションは、携帯電話から命令を与えることにより終了する（！Ｓ）２２１。完了した写真セッションは終了し、一組の写真が、特定された位置とともにカメラに記憶される。前記情報は、例えば写真に内蔵され得、該情報は、特定の位置へのＨＴＴＰリンク、又は各写真の（オーディオクリップ、民族音楽その他のような）位置特定型情報と結合された特定の位置へのＨＴＴＰリンクである。もしＨＴＴＰリンクが写真に内蔵されれば、該リンクが参照するコンテンツ（地図、民族音楽その他）が、ユーザの都合の良い時に、ユーザによってダウンロードされ得るので、優れている。
【００３３】
ここで、マルチメディア装置が二つの記憶媒体を有する場合、一方の媒体から他方の媒体へ写真を記憶しコピーすることが、ポータルサイト自身によって実行され得る。ユーザが、以下の場所において写真を撮ったとする。
１）ローマ、コロシアムの近辺
２）サンマリノグランプリサーキット
３）ベニス近辺
【００３４】
ユーザがポータルサイトへ要求を与える場合、
ステップ１）一方の媒体（又はセッション）から他方へ、イメージを仕分けしコピーする。
ステップ２）ここで、ポータルサイトは、これらのマルチメディア記録（写真）が撮影された座標から、場所の名前を導き出す。
ステップ３）ここで、ポータルサイトは、これらの場所の名前を、（ＳＭＳ又はウェブページとして）ユーザに渡す。これは、以下のように見えるであろう。
１）ローマ−コロシアム
２）サンマリノ−グランプリサーキット
３）ベニス−ムラノ島
ステップ４）ここで、ユーザは、ポータルサイトに、一方の媒体から他方の媒体へ、サンマリノグランプリの記録をコピーすることを依頼しても良い。
ステップ５）ここで、ポータルサイトは、携帯電話ディスプレイ上で、ユーザに、どんな写真ＩＤがサンマリノグランプリ記録に属するかを簡潔に示すことができ、ユーザは、写真を見ること無しに、簡単に該写真をコピーすることができる。
ステップ６）代替的に、写真は、適切なリンク（赤外線又はＢｌｕｅｔｏｏｔｈ（登録商標））及びプログラムを有することによって、自動的にコピーされ得る。
【実施例３】
【００３５】
図３において、携帯電話携帯者がカメラを携帯しない場合における、本発明の実施例が説明される。３１１において、ＷＡＰポータルサイトへのアクセスが、図１に関して説明されたように確立され、３１３において、携帯電話携帯者は、携帯電話からセッション（Ｓ）を生成する。セッションが生成された後、携帯電話携帯者は、位置特定型写真又は音響その他を得ることを開始することができる。これは、ポータルサイトに、位置特定型写真が獲得される（ＡＰ）べきである３１５、ということを、第一に表示することによって実行される。前記表示は、実施例においては、その場所の環境雑音又は携帯電話携帯者によって作られる説明のような、電話によって録音された音を有しても良い。
【００３６】
ポータルサイトは、そして、携帯電話の位置を検出し（ＰＤ）３１７、３１９において、該検出された位置が、位置特定型写真を探すために使用される。写真は、例えばポータルサイトにおいて、位置情報とともに、既に記憶された複数の写真の中から見つけられ得る。代替的に、写真は、インターネットのようなネットワークを介してポータルサイトに接続されたサードパーティサーバに記憶され得る。写真は、また、ＪＰＥＧ、ＥＸＩＦ（登録商標）、及びＴＩＦＦのようなフォーマットで記憶され、位置情報は写真のファイルフォーマットに付され得る。位置特定型写真を見つけるためには、位置情報を使用するだけでなく、時刻情報も使用され得る。その日の及びその季節の、同一の時又はほぼ同一の時に撮影された写真が、例えば、夜の写真が夜間として選択され、秋の写真が携帯電話携帯者が秋に旅行している場合に選択される、ということを保証することで、選択され得る。更に、携帯電話携帯者の視線方向の磁気方位が、また、携帯電話からポータルサイトに送られる場合、携帯電話携帯者が見ているものはどんなものであるのかを決定し、そして、これを、その対象物の位置特定型写真を得ることのために使用することが可能となるであろう。
【００３７】
検出された位置（ＰＤ）と、位置特定型写真（ＦＰ）と、を得た後、該写真か該写真へのリンクのいずれかは、ポータルサイトの特定の領域に記憶される（３２１）か、又は、該ポータルサイトが、それを特定のセッションのポータルサイトによって保守されているウェブページに追加し得る。位置検出及び位置特定型写真の獲得は、携帯電話携帯者によってそれが要求される度に実行される。写真セッションが例えば休暇又は旅行が終わったために完了した場合、該セッションは、携帯電話から命令を与えることによって終了する（！Ｓ）３２３。完全なフォトセッションが、複数の位置特定型写真を有して終了する。
【００３８】
現実には、図３を使用して説明された実施例は、以下に示すように、絵葉書、旅行の軌跡又は記録を友人へ送るために使用され得る。例としては、携帯電話携帯者は、ポータルサイトと通信するために、ＷＡＰの代わりにＳＭＳを使用する。
【００３９】
携帯電話携帯者が、ナイアガラの滝近辺にいるとする。夕方であり、瀑布はライトアップされる。旅行者は、瀑布／領域の絵葉書を、インドにいる友人に送りたいと思う。
１．携帯電話携帯者は、ポータルサイトにＳＭＳを送る（ポータルサイトは、ウェブサイト又は該ウェブサイトから導出される電話番号であっても良い）。ＳＭＳは、（絵葉書の受信者を意図された）携帯電話携帯者の友人の郵便のあて先又は電子メールアドレスを含む。
２．ポータルサイトは、ＳＭＳを受け取った後、ＳＭＳが送信された携帯電話の位置を決定することにより、位置検出を起動する。
３．ここで、ポータルサイトは、ＪＰＥＧ／ＥＸＩＦ（登録商標）ファイルに埋め込まれており、座標に関する自身のデータベースに記憶された付加情報を検索する。その座標は、携帯電話携帯者の位置及びオプションとして時間／季節その他と厳密に一致する。
４．オプションとして、ポータルサイトは都市のデジタル地図を保持しても良く、したがって、位置に関する場所のデータベースを保持する。従って、ポータルサイトは、また、写真が座標を含んでいない場合、携帯電話携帯者の場所の名前で該写真を仕分けることができる。
５．オプションとして、ポータルサイトは写真の名前を送っても良く、これはＳＭＳとして携帯電話携帯者が利用可能である。これは、以下のメッセージとなるであろう。
■ご希望のものを選んでください。
１．「春のナイアガラの朝の写真」
２．「ライトアップされたナイアガラの夜の写真」
【００４０】
携帯電話携帯者が、選択肢の２を選択し、ポータルサイトに通知したとする。
６．オプションとして、携帯電話携帯者は、ポータルサイトに電話をするか、又はポータルサイトを訪問することができ、周りを取り巻いている瀑布の環境雑音を記録するメッセージを残すことができる。又は、ポータルサイトは、また、記憶された写真と同様に、既に記憶されたオーディオクリップを有しても良い。
７．ここで、ポータルサイトは、受信者に、携帯電話携帯者の位置／時／季節毎、又は少なくともそれらの１つによりカスタマイズされ得る写真を送る。代替的に、ポータルサイトは、写真へのリンクを送ることもできる。ポータルサイトは、また、ｗａｖ又はｍｐ３ファイルとして、記録された環境雑音を送ることもできる。
８．代替的に、ポータルサイトは、受信者の国（今回の場合はインドである。）における該ポータルサイトのパートナーポータルサイトに対し、それぞれの写真を、携帯電話携帯者の友人に送ることを伝えても良い。写真は、紙で、又はオーディオクリップその他を有するＣＤとして、配達されてもよい。
９．オプションとして、ポータルサイトは、ウェブページとして、全ての位置特定型コンテンツを記録し、公表しても良く、あるいは、受信者の国におけるパートナーポータルサイトの助けを借りて、ユーザの旅行の軌跡ＣＤ（言うまでもなく、マルチメディアコンテンツを有する）を、受信者（この場合ユーザの友人）に送っても良い。
【実施例４】
【００４１】
ここで、携帯電話携帯者の位置が検出され、該位置が位置特定型写真及び位置特定型音響のような位置特定型マルチメディアコンテンツに関連付けられる、３つの実施例が説明された。加えて、写真を撮影する際に、位置特定型写真が、どのようにカメラの特性と関連付けられ得るのかということが説明された。結びつけられた情報は、説明された実施例において、ポータルサイトかカメラのメモリカードかのいずれかに記憶され得る。更なる実施例において、情報は携帯電話に記憶され得る。
【００４２】
情報を記憶した後で、ユーザは該情報にアクセスし、追加のデータに従って写真を仕分ける、例えば、位置毎に仕分ける、カメラ特性毎に仕分ける、又は磁気方位毎に仕分けるために、該追加のデータを使用することができる。仕分けられた情報は、携帯電話携帯者の自宅の電子メールアドレスか、友人のメールアドレスか、のいずれかにメールされ、それは、携帯電話携帯者によって特定されたものである。さらに、仕分けることは、例えば写真を二つのメモリ（一方のメモリカードはドイツの写真を、他方はインドの写真有する）にコピーするために使用され得る。更に、時刻情報と位置とを使用することにより、いつ、どのように、旅行者又は携帯電話携帯者が、どこからどこへ旅行したのかを示す、ツアーマップが生成される。
【実施例５】
【００４３】
他の実施例においては、本発明は、旅行者がカメラを持っていなかった場合に、旅行の軌跡又は仮想写真アルバムを生成するために使用され得る。又は、もしカメラが忘れられた場合、旅行の軌跡は、ウェブページを更新することにより、自動的に友人や親戚に知らされ得る。
【００４４】
更に、本発明は、旅行者が歴史的な記念碑、自然スポット、その他の近辺にいる場合、該旅行者によって、家族及び友人に絵葉書を送るために使用され得る。そして、旅行者は、カメラのようなマルチメディア記録装置を持たずとも、休暇の旅行の軌跡を（文書及びマルチメディアコンテンツとともに）、友人／親戚に送ることができる。その代わりとして、既に撮影され、（紙媒体だけでなくデジタル的に）利用可能な、多くの有名な記念碑の写真が使用され得る。タージマハルの側に立っている人は、友人に絵葉書を送るために、その場所の絵葉書を、そこで探す必要はない。代わりに、多くの写真の中の１つが使用され得る。同様に、民族音楽、その他のような位置特定型マルチメディアコンテンツが送られ得る。
【００４５】
これは、特に外国からの絵葉書というような、高価となり得る（切手、封筒、その他）、そのような写真を送ることの問題を解決する。更に、旅行者の状況（時刻、１年の中の季節、及び環境状態）を反映する適切な写真を見つけ出すことは、非常に大変である。また、電子メールとして、ＪＰＥＧ／ＥＸＩＦ（登録商標）ファイルを送ることは、また、旅行者がインタネットカフェに居なければならず、写真その他を閲覧して選択するために支払を行わなければならないので、問題となる。旅行者が、携帯電話を使用して閲覧するとしても、それは、また、費用がかかり、時間を浪費する。更に、イメージを送ることは、環境雑音、雰囲気に関する情報、民族音楽、及び時間情報さえも、含まない。
【図面の簡単な説明】
【００４６】
【図１】図１は、マルチメディアコンテンツが、携帯電話携帯者によって携帯されたカメラによって記録された写真である、本発明の例を図示する。
【図２】図２は、前記カメラが、携帯電話と通信するための通信手段を有する例を図示する。
【図３】図３は、携帯電話携帯者がカメラを携帯しない場合における、本発明の実施例を図示する。
【図１】
2006513619.tif 000003
【図２】
2006513619.tif 000004
【図３】
2006513619.tif 000005
【国際調査報告】
2006513619.tif 000006
2006513619.tif 000007
2006513619.tif 000008